(57)【要約】【課題】品質検査などの目的で工場の生産現場に使用されるカメラのように様々な振動を受ける建物の屋内、あるいはセキュリティの目的で屋外に長年固定されて使用されるカメラボディに装着されるレンズにおいて、該振動等に伴うフォーカスやズームのズレ等を防止できるようにする。【解決手段】本発明に係るレンズ鏡筒１は、カメラボディＢに装着される固定筒部１０と、該固定筒部１０に移動可能な状態で螺合される可動筒部２０と、該可動筒部２０に螺合された状態で前記固定筒部１０の先端側１０ｂに付勢されるナット部材１２と、を備えている。このナット部材１２はダブルナットの役割を果たすため、前記固定筒部１０と前記可動筒部２０との相対回転を抑制し、フォーカスやズームのズレ等を防止できる。【選択図】図１
2020016907.tif 000002
【特許請求の範囲】
【請求項１】
カメラボディに着脱可能となるように構成されたレンズ鏡筒において、
基端側が前記カメラボディに装着されると共に先端側の内周面にネジ部（以下、「固定筒側ネジ部」とする）が形成されてなる固定筒部と、
複数のレンズを保持する筒状の部材であって、外周面にネジ部（以下、「可動筒側ネジ部」とする）が形成されると共に該可動筒側ネジ部が前記固定筒側ネジ部に螺合された状態で前記固定筒部の内側に移動可能な状態で配置されてなる可動筒部と、
前記可動筒側ネジ部に螺合された状態で前記固定筒部の先端側に当接されることにより
該固定筒部と前記可動筒部との相対回転を抑制するように構成されたナット部材と、
を備え、
前記複数のレンズは、第１レンズと第２レンズを含み、
前記可動筒部は、前記第１レンズを保持する第１側可動筒部と、該第１側可動筒部に着脱可能に取り付けられ、前記第２レンズを保持する第２側可動筒部と、該第１レンズと該第２レンズとの間に配置される固定絞り板と、を有し、
前記固定絞り板は、前記第２側可動筒部を前記第１側可動筒部から取り外すことによって、前記第１側可動筒部から取り外し可能に構成される、
ことを特徴とするレンズ鏡筒。
【請求項２】
前記第２側可動筒部は、前記第１側可動筒部に取り付けられた状態において、該第１側可動筒部と当接する部分に接着剤が塗布される、
ことを特徴とする請求項１に記載のレンズ鏡筒。
【請求項３】
前記固定絞り板の開口と異なる大きさの開口を持つ取り替え用固定絞り板、
を備えたことを特徴とする請求項１に記載のレンズ鏡筒。
【請求項４】
前記可動筒部における前記レンズを保持する部分（以下、「レンズ保持部」とする）に
貫通孔が形成され、
該貫通孔を介して該レンズの外周面と該レンズ保持部との間に接着剤を充填できるよう
に構成された、
ことを特徴とする請求項１乃至３のいずれか１項に記載のレンズ鏡筒。
【請求項５】
前記固定筒部の外周面に形成された凹凸部である固定筒側ローレット、及び／又は、前
記可動筒部の外周面に形成された凹凸部である可動筒側ローレット、を備え、
前記ナット部材は、前記固定筒側ローレット及び／又は前記可動筒側ローレットと異なる形状及び／又は異なる色で形成されている、
ことを特徴とする請求項１乃至４のいずれか１項に記載のレンズ鏡筒。
【請求項６】
前記可動筒部が保持するレンズの光軸方向に該可動筒部を付勢するように前記固定筒部と該可動筒部との間に配置された弾性部材、
を備えたことを特徴とする請求項１乃至５のいずれか１項に記載のレンズ鏡筒。
【請求項７】
前記弾性部材はコイルスプリング部材であることを特徴とする請求項６に記載のレンズ鏡筒。
【発明の詳細な説明】
【技術分野】
【０００１】
本発明は、カメラボディに着脱可能となるように構成されたレンズ鏡筒に関する。
【背景技術】
【０００２】
従来、工場内での検査ラインや製造するロボットの位置検知、あるいはセキュリティ、その他様々な用途のために建物の屋内や屋外にカメラを設置することが行われているが、そのようなカメラの中にはレンズ鏡筒を着脱できるように構成されたものがあり、該レンズ鏡筒については種々の構造のものが提案されている（例えば、非特許文献１、特許文献
１及び２参照）。
【０００３】
図５は、カメラボディに着脱可能となるように構成されたレンズ鏡筒の従来構造の一例を示す側面図であり、図中の符号Ｂはカメラボディを示し、符号１００は、該カメラボディＢに着脱自在に装着されるレンズ鏡筒を示す。このレンズ鏡筒１００は、複数の筒状部１０１Ａ，１０１Ｂから構成されていて、該筒状部１０１Ａ，１０１Ｂを相対回転させることによりフォーカスを調整するように構成されている。そして、符号１０２は、各筒状部１０１Ａ，１０１Ｂの回転位置がずれないように固定するための緩み止めビスを示している。
【先行技術文献】
【非特許文献】
【０００４】
【非特許文献１】興和株式会社、高精細１型６メガピクセルオーバーカメラ対応レンズ、ＬＭ１６ＳＣ外観図、［平成２６年５月２９日（木）検索］、インターネット＜ＵＲＬ：http://www.kowa.co.jp/opto/products/pdf/lm16sc.pdf＞
【特許文献】
【０００５】
【特許文献１】特開２０１３−８４０１６号公報
【特許文献２】特許第５３７２３８５号公報
【発明の概要】
【発明が解決しようとする課題】
【０００６】
しかしながら、上述のような緩み止めビス１０２は小径のために締めにくいという問題があった。
【０００７】
本発明は、上述の問題を解消することのできるレンズ鏡筒を提供することを目的とするものである。
【課題を解決するための手段】
【０００８】
本発明の第１の観点は、図１乃至図３(a) 、及び図６に例示するものであって、カメラボディ（Ｂ）に着脱可能となるように構成されたレンズ鏡筒（１，２，３）において、
基端側（１０ａ，２０ａ，３０ａ）が前記カメラボディ（Ｂ）に装着されると共に先端側（１０ｂ，２０ｂ，３０ｂ）の内周面（１０ｃ，２０ｃ，３０ｃ）にネジ部（以下、「固定筒側ネジ部」とする）（１０ｄ，２０ｄ，３０ｄ）が形成されてなる固定筒部（１０，２０，３０）と、
レンズ（Ａ１，Ａ２）を保持する筒状の部材であって、外周面（１１ａ，２１ａ，３１ａ）にネジ部（以下、「可動筒側ネジ部」とする）（１１ｂ，２１ｂ，３１ｂ）が形成されると共に該可動筒側ネジ部（１１ｂ，２１ｂ，３１ｂ）が前記固定筒側ネジ部（１０ｄ，２０ｄ，３０ｄ）に螺合された状態で前記固定筒部（１０，２０，３０）の内側に移動可能な状態で配置されてなる可動筒部（１１，２１，３１）と、
前記可動筒側ネジ部（１１ｂ，２１ｂ，３１ｂ）に螺合された状態で前記固定筒部（１０，２０，３０）の先端側（１０ｂ，２０ｂ，３０ｂ）に当接されることにより該固定筒部（１０，２０，３０）と前記可動筒部（１１，２１，３１）との相対回転を抑制するように構成されたナット部材（１２，２２，３２）と、を備えたことを特徴とする。
【０００９】
本発明の第２の観点は、第１の観点に係る発明において、図２(a) (b) 、図３(a) 及び図６に詳示するように、前記可動筒部（２１，３１）が、前記可動筒側ネジ部（２１ｂ，３１ｂ）を有する基端側可動筒部（２１０，３１０）と、該基端側可動筒部（２１０，３１０）に着脱可能に取り付けられる先端側可動筒部（２１１，３１１）と、該基端側可動筒部（２１０，３１０）と該先端側可動筒部（２１１，３１１）との間に挟持された状態で配置される固定絞り板（２１２，３１４）と、を有することを特徴とする。
【００１０】
本発明の第３の観点は、第２の観点の発明において、図３(b) 乃至(d) に例示するように、前記固定絞り板（２１２）の開口（不図示）と異なる大きさの開口（２１２Ａａ，２１２Ｂａ，２１２Ｃａ）を持つ取り替え用固定絞り板（２１２Ａ，２１２Ｂ，２１２Ｃ）、を備えたことを特徴とする。
【００１１】
本発明の第４の観点は、第１の観点の発明において、前記可動筒部における前記レンズ（Ａ１，Ａ２）を保持する部分（以下、「レンズ保持部」とする）（図１の符号１１、図３(a) の符号２１１，２１３参照）に貫通孔（図１の符号１１ｃ、図３(a) の符号２１１ｃ，２１３ｃ参照）が形成され、
該貫通孔（１１ｃ，２１１ｃ，２１３ｃ）を介して該レンズ（Ａ１，Ａ２）の外周面と該レンズ保持部（１１，２１１，２１３）との間に接着剤（不図示）を充填できるように構成されたことを特徴とする。
【００１２】
本発明の第５の観点は、第１の観点の発明において、図１及び図２(a) (b) に例示するように、前記固定筒部（図２(a) (b) の符号２０参照）の外周面に形成された凹凸部である固定筒側ローレット（同図の符号２０ｅ参照）、及び／又は、前記可動筒部（図１の符号１１参照）の外周面に形成された凹凸部である可動筒側ローレット（同図の符号１１ｄ参照）、を備え、
前記ナット部材（１２，２２）は、前記固定筒側ローレット（２０ｅ）及び／又は前記可動筒側ローレット（１１ｄ）と異なる形状及び／又は異なる色で形成されていることを特徴とする。
【００１３】
本発明の第６、７の観点は、図６に例示するものであって、第１の観点の発明において、前記可動筒部（３１）が保持するレンズ（Ａ１，Ａ２）の光軸方向（Ｃ）に該可動筒部（３１）を付勢するように前記固定筒部（３０）と該可動筒部（３１）との間に配置された弾性部材としてスプリング部材（図６の符号３３参照）、を備えたことを特徴とする。
【００１４】
なお、括弧内の番号などは、図面における対応する要素を示す便宜的なものであり、従って、本記述は図面上の記載に限定拘束されるものではない。
【発明の効果】
【００１５】
本発明の第１の観点によれば、建物の屋内や屋外に長年固定されて様々な振動を受けるカメラボディに装着される場合でも、前記ナット部材によって前記固定筒部と前記可動筒部との相対回転を抑制でき、前記振動等に伴うフォーカスやズームのズレ等を防止することができる。また、前記ナット部材は、図５に例示した緩み止めビスに比べて大径であるため、締めやすく緩みにくいという効果を奏する。
【００１６】
ところで、レンズ鏡筒に使用する絞りが可変絞りの場合は、設置場所状況（工場での振動、工場での製造用アームなどの可動物体にカメラを設置した場合における該アームから受ける振動）、地震、その他の要因に伴う振動によって絞り羽根どうしが擦れ、粉塵が発生して画像のノイズの原因になったりするおそれも考えられる。しかしながら、第２及び第３の観点の発明によれば、可変絞りではなく固定絞り板を使用しているため、そのような問題も解消できる。
【００１７】
本発明の第４の観点によれば、レンズ鏡筒をカメラボディに長期間に亘って取り付けておく場合でも、各レンズの適正位置からの位置ズレを防止することができる。
【００１８】
本発明の第５の観点によれば、前記固定筒側ローレットと前記可動筒側ローレットと前記ナット部材とを視覚と触覚とで明確に区別できる。
【００１９】
本発明の第６、７の観点によれば、前記固定筒側ネジ部と前記可動筒側ネジ部との間に多少のガタ（スラスト方向のガタ）があったとしても前記固定筒部と前記可動筒部との前記光軸方向への相対移動は前記ナット部材で締め付けるまでの間は前記スプリング部材によって制限されることとなり、該相対移動に伴うフォーカス等のズレを防止することができる。
【図面の簡単な説明】
【００２０】
【図１】図１は、本発明に係るレンズ鏡筒の構成の一例を示す分解斜視図である。
【図２】図２(a) (b) は、本発明に係るレンズ鏡筒の構成の他の例を示す端面図である。
【図３】図３(a) は、図２(a) (b) に示すレンズ鏡筒の分解端面図であり、同図(b)〜(c) は、取り替え用固定絞り板の形状の例を示す正面図である。
【図４】図４(a) 〜(c) は、絞り板の従来構造の一例を示す正面図である。
【図５】図５は、レンズ鏡筒の従来構造の一例を示す側面図である。
【図６】図６は、本発明に係るレンズ鏡筒の構成の他の例を示す端面図である。
【発明を実施するための形態】
【００２１】
以下、図１乃至図４、及び図６に沿って、本発明の実施の形態について説明する。
【００２２】
本発明に係るレンズ鏡筒は、カメラボディに着脱可能となるように構成されたものである。このレンズ鏡筒は、図１、図２(a) (b) 、図３(a) 及び図６に符号１，２，３で例示するものであって、
・  基端側（光軸方向Ｃに沿った一端側の意）１０ａ，２０ａ，３０ａが前記カメラボディＢに装着されると共に先端側（光軸方向Ｃに沿った他端側の意）１０ｂ，２０ｂ，３０ｂの内周面１０ｃ，２０ｃ，３０ｃにピッチネジ部（以下、「固定筒側ネジ部」とする）１０ｄ，２０ｄ，３０ｄが形成されてなる固定筒部１０，２０，３０と、
・  レンズＡ１，Ａ２を保持する筒状の部材であって、外周面１１ａ，２１ａ，３１ａにピッチネジ部（以下、「可動筒側ネジ部」とする）１１ｂ，２１ｂ，３１ｂが形成されると共に該可動筒側ネジ部１１ｂ，２１ｂ，３１ｂが前記固定筒側ネジ部１０ｄ，２０ｄ，３０ｄに螺合された状態で前記固定筒部１０，２０，３０の内側に前記光軸方向Ｃに移動可能な状態で配置されてなる可動筒部１１，２１，３１と、
・  前記可動筒側ネジ部１１ｂ，２１ｂ，３１ｂに螺合された状態で前記固定筒部１０，２０，３０の先端側１０ｂ，２０ｂ，３０ｂに当接されることにより該固定筒部１０，２０，３０と前記可動筒部１１，２１，３１との相対回転を抑制するように構成されたナット部材（リングナット）１２，２２，３２と、
を備えている。なお、前記ナット部材１２，２２，３２は、経年変化を受けにくい硬質の材料（好ましくは金属）で形成されていると良い。
【００２３】
本発明によれば、建物の屋内や屋外に長年固定されて様々な振動を受けるカメラボディＢに装着される場合でも、前記ナット部材１２，２２，３２によって前記固定筒部１０，２０，３０と前記可動筒部１１，２１，３１との相対回転を抑制でき、前記振動等に伴うフォーカスやズームのズレ等を防止することができる。また、前記ナット部材１２，２２，３２は、図５に例示した緩み止めビス１０２に比べて大径であるため、締めやすく緩みにくいという効果を奏する。
【００２４】
ところで、建物の屋内や屋外に固定するカメラの場合、地震や他の要因に伴う振動によってレンズ鏡筒内部の部品同士が擦れ、粉塵が発生して画像のノイズの原因になったりす
るおそれも考えられる。しかしながら、本発明に係るレンズ鏡筒１，２，３の場合、前記ナット部材１２，２２，３２は前記固定筒部１０，２０，３０の先端側１０ｂ，２０ｂ，３０ｂの全体に接触していることからその接触面積は比較的大きくなるため、地震等の振動を受けても粉塵は発生しにくくなり、そのような問題も解消できる。
【００２５】
この場合、前記可動筒部は、図２(a) (b) 、図３(a) 及び図６に符号２１，３１で詳示するように、前記可動筒側ネジ部２１ｂ，３１ｂを有する基端側可動筒部２１０，３１０と、該基端側可動筒部２１０，３１０に着脱可能に取り付けられる先端側可動筒部２１１，３１１と、該基端側可動筒部２１０，３１０と該先端側可動筒部２１１，３１１との間に挟持された状態で配置される固定絞り板２１２，３１４と、を有するようにしても良い。例えば、前記先端側可動筒部２１１，３１１の内周面又は外周面にピッチネジ部（不図示）を形成すると共に、前記基端側可動筒部２１０，３１０の外周面又は内周面にピッチネジ部（不図示）を形成しておいて、該先端側可動筒部２１１，３１１を該基端側可動筒部２１０，３１０に着脱できるように構成しておくと良い。また、レンズＡ１，Ａ２は２つのレンズ群に分けておいて、一方のレンズ群Ａ１は前記基端側可動筒部２１０，３１０（図に示す例では、該基端側可動筒部２１０，３１０の内部に着脱自在に支持されている筒状の部材２１３，３１３）に保持させ、他方のレンズ群Ａ２は先端側可動筒部２１１，３１１に保持させるようにすると良い。したがって、前記固定絞り板２１２，３１４は、これら２つのレンズ群Ａ１，Ａ２の間に配置されることとなる。このように構成することにより（すなわち、レンズを２つのレンズ群Ａ１，Ａ２に分けると共に、これら２つのレンズ群Ａ１，Ａ２の間に前記固定絞り板２１２，３１４を配置することにより）、フォーカス調整時の収差変動（つまり、フォーカス調整の影響でレンズ系の収差の変動（悪化））を抑えることができる。なお、該固定絞り板２１２，３１４は、開口（絞り開口）を有する円板状のものにすると良い。
【００２６】
図４(a) 〜(c) に例示するような可変絞り３１２の場合、地震や他の要因に伴う振動によって絞り羽根どうしが擦れ、粉塵が発生して画像のノイズの原因になったりするおそれも考えられる。しかしながら、上述のような固定絞り板２１２を使用した場合にはそのような粉塵の発生やノイズの発生を抑制できるという効果を奏する。
【００２７】
そして、前記固定絞り板２１２，３１４は、前記先端側可動筒部２１１，３１１を前記基端側可動筒部２１０，３１０から取り外すことにより交換可能に構成しておくと良い。
【００２８】
さらに、図３(b) 〜(d) に例示するように、前記固定絞り板２１２の開口（不図示）と異なる大きさの開口２１２Ａａ，２１２Ｂａ，２１２Ｃａを持つ取り替え用固定絞り板２１２Ａａ，２１２Ｂａ，２１２Ｃａを１枚又は複数枚備えておいて、適宜取り替えられるように構成しておくと良い。例えば、カメラボディＢを設置する場所が屋外等の明るい場所である場合には、同図(b) に例示するような一番小さな開口２１２Ａａを持つ取り替え用固定絞り板２１２Ａａをレンズ鏡筒２に取り付けると良く、屋内の廊下などの暗い場所である場合には、同図(c) や(d) に例示するような大きな開口２１２Ｂａ，２１２Ｃａを持つ取り替え用固定絞り板２１２Ｂａ，２１２Ｃａをレンズ鏡筒２に取り付けると良い。なお、これらの固定絞り板２１２，２１２Ａ，２１２Ｂ，２１２Ｃの板厚は、遮光性と機械的強度を確保するという観点からは厚い方が好ましく、光学的には薄い方が好ましいが、全てを満足させるという観点からは０．０５〜０．１ｍｍの範囲が好ましい。
【００２９】
ところで、前記可動筒部における前記レンズＡ１，Ａ２を保持する部分（以下、「レンズ保持部」とする）（図１の符号１１、図３(a) の符号２１１，２１３参照）に貫通孔１１ｃ，２１１ｃ，２１３ｃを形成しておいて、該貫通孔１１ｃ，２１１ｃ，２１３ｃを介して該レンズＡ１，Ａ２の外周面と該レンズ保持部１１，２１１，２１３との間に接着剤（不図示）を充填できるように構成しておくと良い。そのように構成した場合には、該レンズＡ１，Ａ２の外周面と該レンズ保持部１１，２１１，２１３との間に接着剤を流し込むことができ、レンズ鏡筒２をカメラボディＢに長期間に亘って取り付けておく場合でも、各レンズＡ１，Ａ２の適正位置からの位置ズレを防止することができる。
【００３０】
次に、本発明に係るレンズ鏡筒２の設置方法について説明する。
【００３１】
該レンズ鏡筒２の設置に際しては、前記固定筒部２０の基端側２０ａを前記カメラボディＢに装着して固定する。この際、該基端側２０ａと該カメラボディＢとの間には接着剤を塗布しておいて振動に伴う前記固定筒部２０の緩みを防止するようにすると良い。
【００３２】
該固定筒部２０を前記カメラボディＢに取り付けた後は、カメラ（つまり、前記カメラボディＢ及び前記レンズ鏡筒２）を設置する場所を実際に見て、最適な大きさの開口の固定絞り板２１２，２１２Ａ，２１２Ｂ又は２１２Ｃを選択し、該選択した固定絞り板２１２，２１２Ａ，２１２Ｂ又は２１２Ｃを前記基端側可動筒部２１０と前記先端側可動筒部２１１との間に入れ込む。この際、該基端側可動筒部２１０と該先端側可動筒部２１１とが当接する部分（例えば、不図示のピッチネジ部）に接着剤を塗布しておいて、それらの可動筒部２１０，２１１が振動などで緩まないようにしておくと良い。そして、該基端側可動筒部２１０には前記ナット部材２２を取り付けると共に、該基端側可動筒部２１０を前記固定筒部２０に取り付けると良い。なお、緩み防止を目的とした接着剤の塗布は、前記カメラボディＢや前記レンズ鏡筒２を設置する前の段階で行うことができることから、該接着剤を塗布し易いように該カメラボディＢや該レンズ鏡筒２の姿勢を自由に動かすことができ、接着剤の塗布作業を効率良く行うことができる。また、上述した実施例では、
・  前記固定筒部２０の前記カメラボディＢへの取り付け
・  前記固定絞り板の前記可動筒部２１への取り付け
・  該可動筒部２１の前記固定筒部２０への取り付け
の順で各工程を実施しているが、各工程の実施順序を変えても良い。
【００３３】
その後、前記レンズ鏡筒２を取り付けたカメラボディＢを所定の場所に設置し、前記可動筒部２１を回転させてフォーカス調整を行い、該調整が完了した時点で前記ナット部材２２によって固定する。このフォーカス調整は、カメラボディＢを現場に設置した状態で行わなければならず、フォーカスの固定（つまり、可動筒部２１と固定筒部２０との相対回転の抑制）を接着剤により行おうとした場合には、カメラボディＢの設置状態や設置姿勢によっては接着剤を塗布することが困難なこともあり得る。例えば、該カメラボディＢを天井や軒先に吊すような場合には該カメラボディＢを該天井や軒先に吊した状態で接着剤を塗布する必要があるが、作業者は無理な姿勢で接着剤の塗布作業を行わなければならず、接着剤が意図しない箇所に流れ込んだり垂れたりしてしまうおそれもある。また、該接着剤が十分に硬化する前に振動（例えば、風による揺れや、近くの道路を走行する自動車からの振動）でフォーカスがずれてしまうおそれもある。しかし、本発明によれば、フォーカスの固定は前記ナット部材２２によって行うようになっているので、そのような問題を解消できる。
【００３４】
ところで、
・  図２(a) (b) に例示するように、前記固定筒部２０の外周面に形成された凹凸部である固定筒側ローレット２０ｅ、
及び／又は、
・  図１に例示するように、前記可動筒部１１の外周面に形成された凹凸部である可動筒側ローレット１１ｄ
を備えるようにし、しかも、前記ナット部材１２，２２は、前記固定筒側ローレット２０ｅ及び／又は前記可動筒側ローレット１１ｄと異なる形状及び／又は異なる色で形成すると良い。そのようにした場合には、前記固定筒側ローレット２０ｅと前記可動筒側ローレット１１ｄと前記ナット部材１２，２２とを視覚と触覚とで明確に区別でき、誤操作等を防止することができる。特に、異なる色で形成した場合には、製品マニュアルでの解説もわかりやすく表示できるという効果を奏する。
【００３５】
ところで、図６に例示するように、前記固定筒部３０と前記可動筒部３１との間に弾性部材３３を配置しておいて、該可動筒部３１を光軸方向（つまり、前記レンズ鏡筒３の光軸方向であって、前記可動筒部３１が保持するレンズＡ１，Ａ２の光軸方向）Ｃに付勢するようにすると良い。そのようにした場合には、前記固定筒側ネジ部３０ｄと前記可動筒側ネジ部３１ｂとの間に多少のガタ（スラスト方向のガタ）があったとしても前記固定筒部３０と前記可動筒部３１との前記光軸方向Ｃへの相対移動は前記ナット部材３２で締め付けるまでの間は前記スプリング部材３３によって制限されることとなり、該相対移動に伴うフォーカス等のズレを防止することができる。ここで、前記弾性部材３３としては、前記可動筒部３１を前記固定筒部３０から離れる方向（図６では右方向であって、前記ナット部材３２の締め付けにより移動される方向）に付勢するコイルスプリング部材（具体的には、圧縮コイルスプリング）が好ましいが、コイルスプリング部材以外のスプリング部材はもちろんのこと、他の弾性部材を使っても同様の構成が実現できる。
【符号の説明】
【００３６】
１                  レンズ鏡筒
２                  レンズ鏡筒
３                  レンズ鏡筒
１０                固定筒部
１０ａ              固定筒部の基端側
１０ｂ              固定筒部の先端側
１０ｃ              固定筒部の内周面
１０ｄ              固定筒側ネジ部
１１                可動筒部、レンズ保持部
１１ａ              可動筒部の外周面
１１ｂ              可動筒側ネジ部
１１ｃ              貫通孔
１１ｄ              可動筒側ローレット
１２                ナット部材
２０                固定筒部
２０ａ              固定筒部の基端側
２０ｂ              固定筒部の先端側
２０ｃ              固定筒部の内周面
２０ｄ              固定筒側ネジ部
２０ｅ              固定筒側ローレット
２１                可動筒部
２１ａ              可動筒部の外周面
２１ｂ              可動筒側ネジ部
２２                ナット部材
３０                固定筒部
３０ａ              固定筒部の基端側
３０ｂ              固定筒部の先端側
３０ｃ              固定筒部の内周面
３０ｄ              固定筒側ネジ部
３０ｅ              固定筒側ローレット
３１                可動筒部
３１ａ              可動筒部の外周面
３１ｂ              可動筒側ネジ部
３２                ナット部材
３３                スプリング部材
２１０              基端側可動筒部
２１１              先端側可動筒部（レンズ保持部）
２１１ｃ            貫通孔
２１２              固定絞り板
２１２Ａ，２１２Ｂ，２１２Ｃ          取り替え用固定絞り板
２１２Ａａ，２１２Ｂａ，２１２Ｃａ    開口
２１３              レンズ保持部
２１３ｃ            貫通孔
３１０              基端側可動筒部
３１１              先端側可動筒部（レンズ保持部）
３１４              固定絞り板
Ａ１，Ａ２            レンズ
Ｂ                  カメラボディ
【図１】
2020016907.tif 000003
【図２】
2020016907.tif 000004
【図３】
2020016907.tif 000005
【図４】
2020016907.tif 000006
【図５】
2020016907.tif 000007
【図６】
2020016907.tif 000008